(57)【特許請求の範囲】
【請求項１】
パラペット（Ｐ）に固定するブラケット（１）に、パラペット（Ｐ）の外側面（p2）まで垂下する脚壁（１３）と、上向きに突出する支持壁（１２）を設けると共に、パラペットの頂面に固定する基壁（１１）の室内側に係合爪（４ａ）を設け、笠木（２）を、ブラケット（１）に取付ける先付笠木（３）と、該笠木（３）の室内側に接合する後付笠木（４）とに分離し、先付笠木（３）の室内側に係合部（５）を、後付笠木（４）の室外側に先付笠木（３）の係合部（５）と噛み合う係止部（６）を設け、先付笠木（３）には、ブラケット（１）の脚壁（１３）に係止する外側板（３３）と、ブラケット（１）の支持壁（１２）に係止する内向鈎爪（３２）を設け、後付笠木（４）には、ブラケットの係合爪（４ａ）に噛合する弾性鈎片（６２）を設けてあることを特徴とする笠木取付装置。
【請求項２】
パラペット（Ｐ）に固定するブラケット（１）に、パラペット（Ｐ）の外側面（p2）まで垂下する脚壁（１３）と、上向きに突出する支持壁（１２）を設け、笠木（２）を、ブラケット（１）に取付ける先付笠木（３）と、該笠木（３）の室内側に接合する後付笠木（４）とに分離し、先付笠木（３）の室内側に係合部（５）を、後付笠木（４）の室外側に先付笠木（３）の係合部（５）と噛み合う係止部（６）を設け、先付笠木（３）には、ブラケット（１）の脚壁（１３）に係止する外側板（３３）と、ブラケット（１）の支持壁（１２）に係止する内向鈎爪（３２）を設け、笠木（２，２')の連続部下方に跨がって取付けるジョイント（７）の頂片（７ａ）を室内側に向けて下降傾斜し、該ジョイント（７）の両側部に笠木（２，２')の内面に密接するタイト材（９）を保持し、先付笠木（３）の係合部（５）に、先付笠木（３）と後付笠木（４）の接合部から侵入する雨水を受けてジョイント（７）に流す横樋（５２）を設け、先付笠木（３）と後付笠木（４）の接合部から侵入する雨水を横樋（５２）よりジョイント（７）に流し、ジョイント（７）より室内側に排水し得るようにしたことを特徴とする笠木取付装置。
【発明の詳細な説明】
【０００１】
【発明の属する技術分野】
この発明は、屋上やバルコニーのパラペットに対する笠木取付装置に関するものである。
【０００２】
【従来の技術】
屋上やバルコニーのパラペットに対する笠木の取付手段として、例えば図１３の如くパラペットＰの頂面ｐにブラケットＦを取付け、該ブラケットＦの上からパラペットＰに向けてリップ溝型の笠木Ｄを嵌挿し、ブラケットＦより上向きに突出する支持脚ｆ１にて笠木天板ｄ１を支持すると共に、ブラケットＦの内外縁よりパラペットＰの内外側面ｐ１，ｐ２まで垂下する脚壁ｆ２，ｆ３にて、笠木Ｄの内外側板ｄ２，ｄ３を係止する。
ブラケットはパラペットの幅方向や長手方向に調整可能なもの、或いは上下方向に調節可能なものが知られている。（例えば実公平４−５３３７２  号公報、実開昭５９−２８号公報、実開平４−６６２４０  号公報）
【０００３】
また支柱を直立するパラペットに対する笠木の取付手段として、例えば笠木の上に支柱を直立するか、図１４の如く笠木Ｄを支柱Ｔの直立間隔に切断し、その両端部に支柱Ｔに応じた切欠部ｄ４を設け、該笠木Ｄを取付ける構造が知られている。（例えば実公昭６２−３７８８０  号公報）
更に笠木をパラペットの長手方向に連続する場合、笠木連続部の下部にジョイントを取付けることも知られている。（例えば実開昭５９−３９３３号公報、実開平２−８９１３４  号公報、実公昭６０−１１２２３号公報）
【０００４】
【発明が解決しようとする課題】
笠木はパラペットの上に取付けたブラケットに嵌挿し、その内外側板をブラケット脚壁に係止するのみであるから、風圧を受けると笠木がガタつく問題点があるし、台風の様な強力な風圧を受けると、揺動しやすく安全性に欠けるという問題点もあった。またパラペット幅は建造物によって大小するので、数種類の笠木を提供しなければならず、それによって割高になる問題点もあった。
笠木の連続部から浸入する雨水によって、笠木やアンカーが腐蝕したり、或いはパラペットの劣化を招くとう問題点もあった。
【０００５】
特に手摺が既設されているパラペットに笠木を取付けたり、或いは支柱と笠木の何れかを補修したり取り替える場合、その工事が困難で高度の熟練を要する問題点もあった。
そこでこの発明は、従来技術の有するこのような問題点に鑑みてなされたものであり、その目的とするところは、パラペットに対する笠木の取付けが簡単で、しかも強力に体裁良く取付け得る笠木取付装置を提供することにある。
【０００６】
【課題を解決するための手段】
本発明の笠木取付装置は、パラペットに固定するブラケットに、パラペットの外側面まで垂下する脚壁と、上向きに突出する支持壁を設けると共に、パラペットの頂面に固定する基壁の室内側に係合爪を設け、笠木を、ブラケットに取付ける先付笠木と、該笠木の室内側に接合する後付笠木とに分離し、先付笠木の室内側に係合部を、後付笠木の室外側に先付笠木の係合部と噛み合う係止部を設け、先付笠木には、ブラケットの脚壁に係止する外側板と、ブラケットの支持壁に係止する内向鈎爪を設け、後付笠木には、ブラケットの係合爪に噛合する弾性鈎片を設けてあることを特徴とする。
【０００７】
また本発明の笠木取付装置は、笠木の連続部下方に跨がって取付けるジョイントの頂片を室内側に向けて下降傾斜し、該ジョイントの両側部に笠木の内面に密接するタイト材を保持し、先付笠木の係合部に、先付笠木と後付笠木の接合部から侵入する雨水を受けてジョイントに流す横樋を設け、先付笠木と後付笠木の接合部から侵入する雨水を横樋よりジョイントに流し、ジョイントより室内側に排水し得るようにしたものである。
【０００８】
【発明の実施の形態】
先ず本発明による笠木取付装置の実施形態を図１乃至図４により説明すれば、笠木取付装置はパラペットＰの上に固定するブラケット１と、複数のブラケット１，１’  に跨がって嵌合係止する笠木２、及び長手方向に連続する笠木２，２’  の連続部の下に嵌挿するジョイント７より構成し、更に笠木２をブラケット１に取付ける先付笠木３と、該笠木３の室内側に接合する後付笠木４に分離し、且つ後付笠木４を後付笠木幅ｈ２の異なる数種類に形成し、その中からパラペット幅Ｈに応じた後付笠木４を選択して先付笠木３と接合するものである。
【０００９】
ブラケット１はパラペットＰの頂面ｐに固定する基壁１１の室外側に、パラペットＰの外側面ｐ２まで垂下する脚壁１３を設け、基壁１１の室内側に一段高い段状壁１４を室内向きに突設し、該段状壁１４の先部に楔状の係合爪４ａを設け、基壁１１より上向きにパラペットＰの長手方向に平行する支持壁１２を２条、又は３条設け、支持壁１２の先端より室外向きに外向片２ａを突設し、基壁１１にパラペットＰの幅方向に平行する縦長孔１５を穿設するもので、支持壁１２の突設高さは室外側より室内側に向けて順次低くなる。
【００１０】
このブラケット１をパラペットＰに固定するには、予めパラペットＰに袋ナット状アンカーＡを一定間隔で埋込んでおき、先ずアンカーＡに向けてブラケット１の基部２を接近し、基部２の縦長孔１５よりアンカーＡにボルトＢを螺合し、ブラケット１の高さや水平を調整した後、ボルトＢを締付けてブラケット１をパラペットＰに取付ける。
また図１２の如くパラペットＰにアンカーボルトＢを埋設し、該ボルトＢのネジ部ｂをパラペットＰの頂面ｐより露出しておき、そのネジ部ｂにブラケット１の基壁１１に穿設する縦長孔１５を嵌挿し、ブラケット基壁１１より露出したネジ部ｂにナットＮを螺入し、ブラケット１を固定することも可能である。
【００１１】
笠木２をブラケット１に取付ける先付笠木３と、該笠木３の室内側に接合する後付笠木４に分離し、且つ両笠木３，４の接合部がパラペットＰの室内寄りに偏るように、先付笠木幅ｈ１を後付笠木幅ｈ２の２倍以上に広く形成し、例えば先付笠木幅ｈ１と後付笠木幅ｈ２を５対２、或いは５対１の割合に形成する一方、先付笠木３の室内側に係合部５を、後付笠木４の室外側に先付笠木３の係合部５に噛み合う係止部６を設け、両笠木３，４が接合し得るようにしたものである。
【００１２】
先付笠木３は室内向きに下降傾斜する天板３１の室外側に、パラペットＰの外側面ｐ２に相対する外側板３３を垂設し、天板３１の室内側に後付笠木４の係合部５を設け、天板３１の下に前記ブラケット１の支持壁外向片２ａに係止する内向鈎爪３２を設け、外側板３３の下端にブラケット脚壁１３の下端に係止する内向片３４を突設するもので、係合部５は室内向きに開口する内向口５１と、該内向口５１より一段低く室内向きに延長する横樋５２、及び横樋５２より室内向きに突出する係合爪５３から成る。
【００１３】
この先付笠木３をブラケット１に取付ける場合、予めブラケット１を適宜間隔に取付けておき、複数のブラケット１に跨がって長尺の先付笠木３を室外側よりブラケット１に向けて接近し、先付笠木３の天板３１がブラケット支持壁１２の上に、係合部５がブラケット段状壁１４の上に載置するようにし、笠木天板３１より垂下する内向鈎爪３２をブラケット支持壁１２の外向片２ａに係止すると共に、先付笠木３の外側板３３をブラケット１の脚壁１３に外接し、外側板３３の内向片３４を脚壁１３の下端に係止した後、係合部５の横樋５２より段状壁１４にビスＣを螺入して取付ける。
【００１４】
後付笠木４は室内向きに下降傾斜する天板４１の室内側に、先付笠木３の外側板３３と相対し、且つパラペットＰの内側面ｐ１に相対する内側板４３を垂設し、天板４１の室外側に先付笠木３の係合部５と噛み合う係止部６を設けるもので、係止部６は係合部５の内向口５１に挿入する突縁部６１と、係合爪５３に噛合する弾性鈎片６３、及びブラケット１の段状壁係合爪４ａに噛合する弾性鈎片６２から成り、天板４１が先付笠木３の天板３１に接合する。
【００１５】
ジョイント７は図９と図１０の如く、先付笠木３の内向鈎爪３２と係合部５の下に外接するように下降傾斜する頂片７ａの室内側に、先付笠木外側板３３に内接する外側片７ｂを、室外側に外側片７ｂと相対し後付笠木内側板４３の内接する内側片７ｃを垂設し、ジョイント７の外面に突条７１を幅方向に一定間隔で設け、突条７１と隣接突条７１の間に凹溝７２を形成し、笠木２より一回り小さいもので、両側の凹溝７２に笠木２の内面に密接するタイト材９を嵌挿し、先付笠木３の係合部横樋５２に沿って流れる雨水を凹溝７２にて室内側に排水するものである。
【００１６】
支柱Ｔを直立するパラペットＰの上に笠木２を取付ける場合、図５乃至図８の如く支柱Ｔを挾んで左右にブラケット１，１’  を取付け、先付笠木３に室内側より室外側に向けて支柱Ｔの太さより少し大きい切欠部２３を切込み、該切欠部２３の周囲の裏側にシール受けＳを取付け、その先付笠木３をブラケット１，１’  に跨がって取付けた後、先付笠木３に後付笠木４を取付ける。
支柱Ｔと切欠部２３の隙間にコーキングを施し、雨水等の浸入を阻止することが望ましい。
【００１７】
図１１はパラペットＰの端部に嵌挿する端部ジョイント１７で、該ジョイント１７は前記ジョイント７と同様の形状で、ジョイント７の略半分の長さを成すものである。
この端部ジョイント１７をパラペットＰに取付ける場合、端部ジョイント１７の一端にキャップ８を嵌挿する。
キャップ８は端板８ａより端部ジョイント１７の内部に挿入する腕部８ｂを突出している。
【００１８】
【実施例】
笠木２を構成する先付笠木３と後付笠木４、及びパラペットＰに取付けるブラケット１は、軽金属材より夫々押出し成形する。
ジョイント７と端部ジョイント１７、及びキャップ８は、軽金属材にて成形するか、合成樹脂にて成形し、タイト材９は弾力性を有するゴムまたは合成樹脂、例えばポリ塩化ビニル発泡にて成形する。
【００１９】
【発明の効果】
本発明による笠木取付装置は上記構造のとおりであるから、次に記載する効果を奏する。
笠木を先付笠木と後付笠木に分離し、ブラケットに先付笠木を嵌合係止し、これをビス止め固定した後、先付笠木に後付笠木を嵌合係止するものであるから、笠木の取付けが実に簡単容易である。しかも笠木はブラケットにビス止めされ、３カ所以上で係止するので、取付けが強力で、台風が吹付けてもガタつくこともないし、外れることもない。
【００２０】
パラペット幅に大小があっても、ブラケットは同じものが使用できるし、笠木は先付笠木と後付笠木に分離されているので、後付笠木を笠木幅の異なる数種類に形成しておけば、その中からパラペット幅に応じた後付笠木を選択して接合し得る。
【００２１】
先付笠木の係合部に、先付笠木と後付笠木の接合部から侵入する雨水を受けてジョイントに流す横樋を設け、笠木連続部の下にジョイントを跨がって嵌挿し、ジョイントの頂片を室内側に向けて下降傾斜し、雨水を先付笠木の横樋で受けてジョイントに流し、ジョイントより室内側に排水するものであるから、雨水によってパラペットが劣化したり、笠木が腐蝕するおそれもない。
【図面の簡単な説明】
【図１】本発明による笠木取付装置の構造例を示す断面図である。
【図２】ブラケットと笠木の取付例を示す分解断面図である。
【図３】先付笠木の取付例を示す斜視図である。
【図４】後付笠木の取付例を示す斜視図である。
【図５】支柱直立パラペットに対するブラケットの取付例を示す斜視図である。
【図６】支柱直立パラペットに対する先付笠木の取付例を示す斜視図である。
【図７】支柱直立パラペットに対する後付笠木の取付例を示す斜視図である。
【図８】笠木のコーキング例を示す斜視図である。
【図９】笠木連続部の透視図である。
【図１０】ジョイントの使用例を示す断面図である。
【図１１】端部ジョイントとキャップの斜視図である。
【図１２】ブラケットの取付例を示す断面図である。
【図１３】従来笠木の取付例を示す透視図である。
【図１４】支柱直立パラペットに対する従来笠木の取付例を示す斜視図である。
【符号の説明】
１，１’，Ｆ  ブラケット
２，２’，Ｄ  笠木
３  先付笠木
４  後付笠木
５  係合部
６  係止部
７  ジョイント、１７  端部ジョイント
８  キャップ
９  タイト材
１１  基壁、１２  支持壁、１３  脚壁、２３，ｄ４  切欠部
３１，４１，ｄ１  天板、３３，ｄ３  外側板、４３，ｄ２  内側板
５２  横樋
Ａ  アンカー、Ｂ  ボルト、Ｃ  ビス、Ｎ  ナット
Ｔ  支柱、Ｓ  シール受け
Ｐ  パラペット、ｐ  パラペット頂面、ｐ１，ｐ２  パラペットの内外側面
Ｈ  パラペット幅、ｈ１  先付笠木幅、ｈ２  後付笠木幅
【図１】
0003624474.tif 000002
【図２】
0003624474.tif 000003
【図３】
0003624474.tif 000004
【図４】
0003624474.tif 000005
【図５】
0003624474.tif 000006
【図６】
0003624474.tif 000007
【図７】
0003624474.tif 000008
【図８】
0003624474.tif 000009
【図９】
0003624474.tif 000010
【図１０】
0003624474.tif 000011
【図１１】
0003624474.tif 000012
【図１２】
0003624474.tif 000013
【図１３】
0003624474.tif 000014
【図１４】
0003624474.tif 000015